【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
基紙の両面が樹脂被覆された樹脂被覆紙の両側に、該樹脂被覆紙から最も離れた層であるインク受容層を有し、
一方の表面と、高剛性ローラーの表面に耐摩耗性粒子が固着されたインクジェットプリンターの紙送りローラーと、のＪＩＳ  Ｐ  ８１４７に準じて測定された静摩擦係数が０．３〜０．６であることを特徴とするインクジェット記録媒体。
【請求項２】
前記静摩擦係数が０．３〜０．６である側のインク受容層が、平均二次粒子径５０ｎｍ以上３００ｎｍ未満であって、非晶質シリカ粒子、コロイダルシリカ、アルミナ微粒子および擬ベーマイトから選択される少なくとも１種の無機微粒子と、粒子径５〜２０μｍのマット剤とを含むことを特徴とする請求項１に記載のインクジェット記録媒体。
【請求項３】
前記静摩擦係数が０．３〜０．６である側のインク受容層が、平均二次粒子径３００ｎｍ以上１０００ｎｍ未満の無機微粒子を含み、マット剤の含有率が０．０１質量％以下であることを特徴とする請求項１に記載のインクジェット記録媒体。
【請求項４】
前記静摩擦係数が０．３〜０．６である側の反対側のインク受容層が、気相法シリカ微粒子を含有することを特徴とする請求項１〜請求項３のいずれか１項に記載のインクジェット記録媒体。
【請求項５】
基紙の両面が樹脂被覆された樹脂被覆紙の両側に該樹脂被覆紙から最も離れた層であるインク受容層を有するインクジェット記録媒体の一方の表面と、高剛性ローラーの表面に耐摩耗性粒子が固着されたインクジェットプリンターの紙送りローラーと、のＪＩＳ  Ｐ  ８１４７に準じて測定された静摩擦係数を０．３〜０．６として、インクジェット法により画像を記録することを特徴とするインクジェット記録方法。
【請求項６】
前記静摩擦係数が０．３〜０．６である側のインク受容層が、平均二次粒子径５０ｎｍ以上３００ｎｍ未満であって、非晶質シリカ粒子、コロイダルシリカ、アルミナ微粒子および擬ベーマイトから選択される少なくとも１種の無機微粒子と、粒子径５〜２０μｍのマット剤とを含むことを特徴とする請求項５に記載のインクジェット記録方法。
【請求項７】
前記静摩擦係数が０．３〜０．６である側のインク受容層が、平均二次粒子径３００ｎｍ以上１０００ｎｍ未満の無機微粒子を含み、マット剤の含有率が０．０１質量％以下であることを特徴とする請求項５に記載のインクジェット記録方法。
【請求項８】
前記静摩擦係数が０．３〜０．６である側の反対側のインク受容層が、気相法シリカ微粒子を含有することを特徴とする請求項５〜請求項７のいずれか１項に記載のインクジェット記録方法。
【手続補正２】
【補正対象書類名】明細書
【補正対象項目名】００１４
【補正方法】変更
【補正の内容】
【００１４】
前記課題を解決するための具体的な手段は以下のとおりである。
＜１＞  基紙の両面が樹脂被覆された樹脂被覆紙の両側に、該樹脂被覆紙から最も離れた層であるインク受容層を有し、一方の表面と、高剛性ローラーの表面に耐摩耗性粒子が固着されたインクジェットプリンターの紙送りローラーと、のＪＩＳ  Ｐ  ８１４７に準じて測定された静摩擦係数が０．３〜０．６であることを特徴とするインクジェット記録媒体である。
【手続補正３】
【補正対象書類名】明細書
【補正対象項目名】００１５
【補正方法】変更
【補正の内容】
【００１５】
＜２＞  前記静摩擦係数が０．３〜０．６である側のインク受容層が、平均二次粒子径５０ｎｍ以上３００ｎｍ未満であって、非晶質シリカ粒子、コロイダルシリカ、アルミナ微粒子および擬ベーマイトから選択される少なくとも１種の無機微粒子と、粒子径５〜２０μｍのマット剤とを含むことを特徴とする＜１＞に記載のインクジェット記録媒体である。
【手続補正４】
【補正対象書類名】明細書
【補正対象項目名】００１６
【補正方法】変更
【補正の内容】
【００１６】
＜３＞  前記静摩擦係数が０．３〜０．６である側のインク受容層が、平均二次粒子径３００ｎｍ以上１０００ｎｍ未満の無機微粒子を含み、マット剤の含有率が０．０１質量％以下であることを特徴とする＜１＞に記載のインクジェット記録媒体である。
＜４＞  前記静摩擦係数が０．３〜０．６である側の反対側のインク受容層が、気相法シリカ微粒子を含有することを特徴とする＜１＞〜＜３＞のいずれか１項に記載のインクジェット記録媒体である。
【手続補正５】
【補正対象書類名】明細書
【補正対象項目名】００１７
【補正方法】変更
【補正の内容】
【００１７】
＜５＞  基紙の両面が樹脂被覆された樹脂被覆紙の両側に、該樹脂被覆紙から最も離れた層であるインク受容層を有するインクジェット記録媒体の一方の表面と、高剛性ローラーの表面に耐摩耗性粒子が固着されたインクジェットプリンターの紙送りローラーと、のＪＩＳ  Ｐ  ８１４７に準じて測定された静摩擦係数を０．３〜０．６として、インクジェット法により画像を記録することを特徴とするインクジェット記録方法である。
＜６＞  前記静摩擦係数が０．３〜０．６である側のインク受容層が、平均二次粒子径５０ｎｍ以上３００ｎｍ未満であって、非晶質シリカ粒子、コロイダルシリカ、アルミナ微粒子および擬ベーマイトから選択される少なくとも１種の無機微粒子と、粒子径５〜２０μｍのマット剤とを含むことを特徴とする＜５＞に記載のインクジェット記録方法である。
＜７＞  前記静摩擦係数が０．３〜０．６である側のインク受容層が、平均二次粒子径３００ｎｍ以上１０００ｎｍ未満の無機微粒子を含み、マット剤の含有率が０．０１質量％以下であることを特徴とする＜５＞に記載のインクジェット記録方法である。
＜８＞  前記静摩擦係数が０．３〜０．６である側の反対側のインク受容層が、気相法シリカ微粒子を含有することを特徴とする＜５＞〜＜７＞のいずれか１項に記載のインクジェット記録方法である。
【手続補正６】
【補正対象書類名】明細書
【補正対象項目名】００１９
【補正方法】変更
【補正の内容】
【００１９】
≪インクジェット記録媒体≫
本発明のインクジェット記録媒体は、基紙の両面が樹脂被覆された樹脂被覆紙の両側に、該樹脂被覆紙から最も離れた層であるインク受容層を有し、前記インク受容層の一方の表面と、高剛性ローラーの表面に耐摩耗性粒子が固着されたインクジェットプリンターの紙送りローラーと、の静摩擦係数が０．３〜０．６である。
本発明のインクジェット記録媒体は、上記構成としたことにより、搬送精度を高く保つことができ、画像記録後における、裏写りやカールの発生を抑制することができる。
従って、本発明のインクジェット記録媒体は、例えば、前記静摩擦係数が０．３〜０．６である側の面をウラ面とすることで、ロール状態や適当なサイズに裁断された状態であってもオモテ面にバンディングを発生させることなく印刷を行うことができる。このため、本発明のインクジェット記録媒体は、個々の写真店又は類似のプリントサービス業者が、オリジナルブランドのロゴマークやキャンペーン期間専用のロゴマークを低コストに印刷する用途に特に好適に用いることができる。
なお、本発明においては、より高品質、高画質な画像を形成できる側の面を「オモテ面」といい、オモテ面の反対側の面を「ウラ面」という。
【手続補正７】
【補正対象書類名】明細書
【補正対象項目名】００８１
【補正方法】変更
【補正の内容】
【００８１】
≪インクジェット記録方法≫
本発明のインクジェット記録方法は、基紙の両面が樹脂被覆された樹脂被覆紙の両側に、該樹脂被覆紙から最も離れた層であるインク受容層を有するインクジェット記録媒体の一方の表面と、高剛性ローラーの表面に耐摩耗性粒子が固着されたインクジェットプリンターの紙送りローラーと、の静摩擦係数を０．３〜０．６として、インクジェット法により画像を記録することを特徴とするインクジェット記録方法である。
ここで、樹脂被覆紙、紙送りローラー、インク受容層、静摩擦係数については、前述のインクジェット記録媒体の項で説明したとおりであり、好ましい範囲も同様である。